(57)【要約】【課題】自動車等に搭載された各種電子機器間の車載ＬＡＮ通信に使用される通信制御装置、及びこれを用いた操作ユニットに関し、簡易な構成で、安定したデータ通信が可能なものを提供することを目的とする。【解決手段】制御手段２３が所定間隔で通信手段２４の同期カウントを確認するようにして通信制御装置２５が構成され、制御手段２３から所定間隔で指示信号を通信手段２４へ送信し、通信手段２４がノイズ等により同期外れ状態で正常な応答がない場合には、この同期カウントをリセットすることによって、簡易な構成で、安定したデータ通信が可能なものを得ることができる。【選択図】  図１
2004248013.tif 000002
【特許請求の範囲】
【請求項１】
記憶部の設定データに基づいて制御部が外部からの入力信号を操作データに変換すると共に、この操作データとクロック信号を出力する制御手段と、上記設定データを登録部に登録し上記制御手段からのクロック信号の同期をカウントすると共に、上記操作データを通信データとして通信部から通信回線に送信する通信手段からなり、上記制御手段が所定間隔で上記通信手段の同期カウントを確認する通信制御装置。
【請求項２】
制御手段が記憶部と通信手段の登録部の設定データを比較し、異なる場合には、上記登録部の設定データを更新する請求項１記載の通信制御装置。
【請求項３】
制御手段が通信手段の同期カウントを確認する間隔を、０．５〜１．５秒とした請求項１記載の通信制御装置。
【請求項４】
請求項１記載の通信制御装置と、これに接続された操作手段からなり、上記操作手段からの操作信号を通信データとして通信回線に送信する操作ユニット。
【発明の詳細な説明】
【０００１】
【発明の属する技術分野】
本発明は、自動車等に搭載された各種電子機器間の車載ローカルエリアネットワーク通信（以下、車載ＬＡＮ通信と記載する）に使用される通信制御装置及びこれを用いた操作ユニットに関するものである。
【０００２】
【従来の技術】
近年、自動車等において、搭載されたカーナビゲーションやオーディオ、エアコン、テレビ等の様々な電子機器を車載ＬＡＮ通信で接続し、通信制御装置でこれらの制御を行うものが増えている。
【０００３】
このような従来の通信制御装置及びこれを用いた操作ユニットについて、図２〜図４を用いて説明する。
【０００４】
図４は従来の通信制御装置及びこれを用いた操作ユニットのブロック回路図であり、同図において、１は押釦スイッチや多方向操作スイッチ等の複数のスイッチがパネルなどに配置された操作手段、２は液晶ディスプレイ等の表示手段で、これらがマイコンや発振子等からなる制御手段３に接続されている。
【０００５】
そして、この制御手段３は、操作手段１の所定のスイッチからの操作信号を操作データに変換する制御部３Ａと、所定の設定データを記憶した記憶部３Ｂから形成されている。
【０００６】
また、４は集積回路等からなる通信手段で、記憶部３Ｂの設定データが書き込まれて登録された通称レジスタと言われる登録部４Ａと、制御手段３からのブロック信号の同期をカウントし、操作データを通信データとして通信回線６へ送信したり、通信回線６から受信した通信データを制御手段３へ送信する通信部４Ｂから形成されている。
【０００７】
そして、この制御手段３と通信手段４が、制御手段３から操作データが送信されるデータ送信線７Ａと、通信手段４からの通信データを制御手段が受信するデータ受信線７Ｂ、及び、制御手段３からクロック信号が送信されるクロック信号線７Ｃの、所謂、３線シリアル通信によって接続されると共に、通信手段４の同期カウントをリセットするリセット信号が送信されるリセット信号線７Ｄによって接続されて、通信制御装置５が構成されている。
【０００８】
さらに、この通信制御装置５に操作手段１や表示手段２が接続されて操作ユニットが構成されると共に、通信制御装置５が通信回線６によって、車両内に搭載されたエアコンやテレビ等の各種電子機器８に接続されている。
【０００９】
以上の構成において、操作手段１の所定のスイッチ、例えば電子機器８のエアコンの電源をＯＮ／ＯＦＦするスイッチが操作されると、この操作信号が制御手段３に入力され、制御部３Ａがこの操作信号を操作データに変換する。
【００１０】
そして、この８個の０と１からなる、例えば、エアコンＯＮ用の「０１１０１０００」やＯＦＦ用の「１１１１１１１１」等の操作データは、８個のビットを１バイトとしたクロック信号と共に、制御部３Ａからデータ送信線７Ａによって通信手段４へ出力される。
【００１１】
次に、図２のデータ波形図に示すように、通信部４Ｂが制御部３Ａから出力されたクロック信号１１や１３の、８個のビットｂ１〜ｂ８やｂ９〜ｂ１６を受信したビットの順番にカウントすると共に、この各ビットに同期させて「０１１０１０００」や「１１１１１１１１」の操作データから、エアコンＯＮ用のｓ１〜ｓ８の操作データ１０や、ＯＦＦ用のｓ９〜ｓ１６の操作データ１２を読み取る。
【００１２】
そして、このように読み取った操作データ１０や１２と、登録部４Ａに登録された機器のアドレス等の設定データから、通信部４Ｂが通信データを作成し、この通信データが通信回線６を介して電子機器８に送信されて、例えば、エアコンの電源のＯＮ／ＯＦＦ操作が行われる。
【００１３】
また、電子機器８からはこの通信データを受信した通信信号が送信され、これを通信部４Ｂが受信して制御手段３に送信すると、制御手段３によって機器の操作に合わせた動作、例えば、エアコンの電源ＯＮを示す表示が液晶ディスプレイ等の表示手段２に表示されたり、操作手段１の所定スイッチの照光が行われたりするように構成されている。
【００１４】
なお、このような正常な通信状態に対し、制御手段３から通信手段４へ操作データやクロック信号が送信されている際に、図３のデータ波形図に示すように、外部からの電磁波等によってノイズＮが、例えば、クロック信号１４のビットｂ５とｂ６の間に発生した場合には、通信部４ＢはこのノイズＮをビットｂ６と誤判断してカウントしてしまう。
【００１５】
そして、この時の操作データ１０のｓ５が１であることから、誤ったクロック信号１４のビットｂ１〜ｂ８に同期させて、操作データを正規の「０１１０１０００」に対し「０１１０１１００」と読み取ってしまい、これを用いた通信データが電子機器８に送信されるため、エアコンのＯＮ操作等は行われない。
【００１６】
さらに、通信部４Ｂはビットｂ９までカウントしているため、次にＯＦＦ用の「１１１１１１１１」の操作データ１２が、ビットｂ１０〜ｂ１７のクロック信号と共に送信された際、ビットｂ９の「０」からカウントを始め、誤ったクロック信号１５のビットｂ９〜ｂ１６に同期させて、操作データを「０１１１１１１１」と読み取ってしまう。
【００１７】
従って、この誤った操作データから作成された通信データが送信され、エアコンのＯＦＦ操作も行われないうえ、通信部４Ｂはビットｂ１７をカウントしているため、この後送信される操作データも誤って読み取ってしまい、こうした同期外れ状態が継続され、正常な通信ができなくなってしまう。
【００１８】
このため、何度か操作手段１を操作しても機器の操作が行われないことに気付いた場合、一旦通信制御装置５の電源を切るか、または、操作手段１にリセット用スイッチを設け、これを操作して通信部４Ｂの同期カウントをリセットして、正常な同期カウントに復帰させる必要があるものであった。
【００１９】
或いは、外部からのノイズ対策として電磁シールドを通信制御装置５の周囲に設けることも考えられるが、ノイズを完全に遮断することは難しく、装置の構成部品数が増えるために高価なものになる。
【００２０】
なお、この出願の発明に関連する先行技術文献情報としては、例えば、特許文献１が知られている。
【００２１】
【特許文献１】
特開平１０−１４７１３３号公報
【００２２】
【発明が解決しようとする課題】
以上のように、従来の通信制御装置及びこれを用いた操作ユニットにおいては、ノイズ等によって同期外れが生じた場合、何度か操作を行った後に、同期カウントをリセットして正常な同期カウントに復帰させる必要があるという課題があった。
【００２３】
本発明は、このような従来の課題を解決するものであり、簡易な構成で、自動的かつ短時間に正常な通信状態に復帰する、安定したデータ通信が可能な通信制御装置及びこれを用いた操作ユニットを提供することを目的とする。
【００２４】
【課題を解決するための手段】
上記目的を達成するために本発明は、以下の構成を有するものである。
【００２５】
本発明の請求項１に記載の発明は、制御手段が所定間隔で通信手段の同期カウントを確認するようにして通信制御装置を構成したものであり、制御手段から所定間隔で指示信号を通信手段へ送信し、通信手段がノイズ等により同期外れ状態で正常な応答がない場合には、通信手段の同期カウントをリセットすることによって、自動的かつ短時間で正常な通信状態に復帰させることができるため、簡易な構成で、安定したデータ通信が可能な通信制御装置を得ることができるという作用を有する。
【００２６】
請求項２に記載の発明は、請求項１記載の発明において、制御手段が記憶部と通信手段の登録部の設定データを比較し、異なる場合には、登録部の設定データを更新するものであり、外部からの電磁波等により登録部の設定データに異常が生じた場合にも、所定間隔で登録部の設定データを比較し更新することによって、さらにデータ通信を安定したものとすることができるという作用を有する。
【００２７】
請求項３に記載の発明は、請求項１記載の発明において、制御手段が通信手段の同期カウントを確認する間隔を、０．５〜１．５秒としたものであり、ノイズ等により通信手段に同期外れが生じ、機器から正常な応答がない場合でも大きな違和感がなく、制御手段や通信手段の通常動作にも支障のない間隔でリセットを行うことができるという作用を有する。
【００２８】
請求項４に記載の発明は、請求項１記載の通信制御装置と、これに接続された操作手段からなり、操作手段からの操作信号を通信データとして通信回線に送信するようにして操作ユニットを構成したものであり、簡易な構成で、安定したデータ通信が可能な操作ユニットを実現することができるという作用を有する。
【００２９】
【発明の実施の形態】
以下、本発明の実施の形態について、図１〜図３を用いて説明する。
【００３０】
なお、従来の技術の項で説明した構成と同一構成の部分には同一符号を付して、詳細な説明を簡略化する。
【００３１】
（実施の形態）
図１は本発明の一実施の形態による通信制御装置及びこれを用いた操作ユニットのブロック回路図であり、同図において、２１は押釦スイッチや多方向操作スイッチ、タッチパネル等の複数のスイッチが配置された操作手段、２２は液晶ディスプレイなどの表示手段で、これらがマイコンや発振子等からなる制御手段２３に接続されている。
【００３２】
そして、この制御手段２３は、操作手段２１の所定のスイッチからの操作信号を操作データに変換する制御部２３Ａと、通信回線６での通信スピードを設定する通信ビットレートや、車載ＬＡＮ内での所在地を表わす自己アドレス、及び各種データの配置を設定する通信フォーマット等の、所定の設定データを記憶した記憶部２３Ｂから形成されている。
【００３３】
また、２４は集積回路等からなる通信手段で、記憶部２３Ｂの設定データが自動車始動時等に書き込まれて登録された通称レジスタと言われる登録部２４Ａと、制御手段２３からのクロック信号の同期をカウントし、操作データを通信データとして通信回線６へ送信したり、通信回線６から受信した通信データを制御手段２３へ送信する通信部２４Ｂから形成されている。
【００３４】
そして、この制御手段２３と通信手段２４が、制御手段２３から操作データが送信されるデータ送信線２７Ａと、通信手段２４の発振子からの通信データを制御手段が受信するデータ受信線２７Ｂ、及び、制御手段２３からクロック信号が送信されるクロック信号線２７Ｃの、所謂、３線シリアル通信によって接続されると共に、通信手段２４の同期カウントをリセットするリセット信号が送信されるリセット信号線２７Ｄによって接続されて、通信制御装置２５が構成されている。
【００３５】
なお、制御手段２３からは約１秒毎に、登録部２４Ａ内の設定データを制御手段２３へ送信させるように、指示信号がデータ送信線２７Ａから通信手段２４へ送信される。
【００３６】
そして、この所定間隔の指示信号に対して、通信手段２４から正常な応答がない場合には、通信手段２４の同期カウントをリセットしたり、応答があった場合には、制御手段２３が記憶部２３Ｂと登録部２４Ａの設定データを比較し、これらが異なる時には登録部２４Ａの設定データを更新するように構成されている。
【００３７】
さらに、このような通信制御装置２５に操作手段２１や表示手段２２が接続されて操作ユニットが構成されると共に、通信制御装置２５が通信回線６によって、車両内に搭載されたエアコンやテレビ等の各種電子機器８に接続されている。
【００３８】
以上の構成において、操作手段２１の所定のスイッチ、例えば電子機器８のエアコンの電源をＯＮ／ＯＦＦするスイッチが操作されると、この操作信号が制御手段２３に入力され、制御部２３Ａがこの操作信号を操作データに変換する。
【００３９】
そして、この８個の０と１からなる、例えば、エアコンＯＮ用の「０１１０１０００」やＯＦＦ用の「１１１１１１１１」等の操作データは、８個のビットを１バイトとしたクロック信号と共に、制御部２３Ａからデータ送信線２７Ａによって通信手段２４へ出力される。
【００４０】
次に、図２のデータ波形図に示すように、通信部２４Ｂが制御部２３Ａから出力されたクロック信号１１や１３の、８個のビットｂ１〜ｂ８やｂ９〜ｂ１６を受信したビットの順番にカウントすると共に、この各ビットに同期させて「０１１０１０００」や「１１１１１１１１」の操作データから、エアコンＯＮ用のｓ１〜ｓ８の操作データ１０や、ＯＦＦ用のｓ９〜ｓ１６の操作データ１２を読み取る。
【００４１】
そして、このように読み取った操作データ１０や１２と、登録部２４Ａに登録された機器のアドレス等の設定データから、通信部２４Ｂが通信データを作成し、この通信データが通信回線６を介して電子機器８に送信されて、例えば、エアコンの電源のＯＮ／ＯＦＦ操作が行われる。
【００４２】
また、電子機器８からはこの通信データを受信した通信信号が送信され、これを通信部２４Ｂが受信してデータ受信線２７Ｂから制御手段２３に送信すると、制御手段２３によって機器の操作に合わせた動作、例えば、エアコンの電源ＯＮを示す表示が液晶ディスプレイ等の表示手段２２に表示されたり、操作手段２１の所定スイッチの照光が行われたりするように構成されている。
【００４３】
なお、このような正常な通信状態に対し、制御手段２３から通信手段２４へ操作データやクロック信号が送信されている際に、図３のデータ波形図に示すように、外部からの電磁波等によってノイズＮが、例えば、クロック信号１４のビットｂ５とｂ６の間に発生した場合には、通信部２４ＢはこのノイズＮをビットｂ６と誤判断してカウントしてしまう。
【００４４】
そして、従来の技術の項で説明したように、通信部２４Ｂは誤ったクロック信号１４のビットｂ１〜ｂ８に同期させて、操作データを正規の「０１１０１０００」に対し「０１１０１１００」と読み取ってしまい、これを用いた通信データが電子機器８に送信されるため、エアコンのＯＮ操作等は行われない。
【００４５】
さらに、この同期外れ状態が続くと、次の、ＯＦＦ用の「１１１１１１１１」の操作データ１２も「０１１１１１１１」と読み取ってしまい、エアコンのＯＦＦ操作も行われないうえ、この後送信される操作データも誤って読み取ってしまい、こうした同期外れ状態が継続され、正常な通信ができなくなってしまう。
【００４６】
しかしながら、本実施の形態においては、上述したように、制御手段２３から約１秒毎に、登録部２４Ａ内の設定データを制御手段２３へ送信させるように、指示信号がデータ送信線２７Ａから通信手段２４へ送信される。
【００４７】
これに対し、通信手段２４が上記のように同期外れ状態にある場合には、この所定間隔の指示信号が正常なデータとして通信手段２４に受信されず、従って、通信手段２４から制御手段２３へは設定データが送信されない。
【００４８】
このため、制御手段２３は正常な応答がないと判断し、クロック信号との同期に影響を受けないリセット信号線２７Ｄから、通信手段２４へリセット信号を送信して、通信手段２４の同期カウントのリセットが行われ、この後は、通信回線６を介した電子機器８との正常な通信が行われるように構成されている。
【００４９】
なお、通信手段２４の同期カウントが正常に行われている場合には、通信手段２４が指示信号を正常に受信して、制御手段２３へ登録部２４Ａの設定データが送信され、制御手段２３がこの登録部２４Ａと記憶部２３Ｂの設定データの比較を行う。
【００５０】
そして、外部からの電磁波等により登録部２４Ａの設定データに異常が生じ、記憶部２３Ｂの設定データと一致しない場合には、登録部２４Ａに新たに記憶部２３Ｂの設定データを書き込み更新する。
【００５１】
このように本実施の形態によれば、制御手段２３が所定間隔で通信手段２４の同期カウントを確認するようにして通信制御装置２５が構成され、制御手段２３から所定間隔で指示信号を通信手段２４へ送信し、通信手段２４がノイズ等により同期外れ状態で正常な応答がない場合には、この同期カウントをリセットすることによって、自動的かつ短時間で正常な通信状態に復帰させることができるため、簡易な構成で、安定したデータ通信が可能な通信制御装置及びこれを用いた操作ユニットを得ることができるものである。
【００５２】
また、制御手段２３が記憶部２３Ｂと通信手段２４の登録部２４Ａの設定データを比較し、異なる場合には、登録部２４Ａの設定データを更新することによって、外部からの電磁波等により登録部２４Ａの設定データに異常が生じた場合にも、所定間隔で更新されるため、さらにデータ通信を安定したものとすることができる。
【００５３】
さらに、制御手段２３が通信手段２４の同期カウントを、０．５〜１．５秒の約１秒毎の間隔で確認することによって、ノイズ等により通信手段に同期外れが生じ、機器から正常な応答がない場合でも大きな違和感がなく、制御手段や通信手段の通常動作にも支障のない間隔でリセットを行うことができる。
【００５４】
なお、以上の説明では、登録部２４Ａ内の設定データを制御手段２３へ送信させる指示信号を、所定間隔で通信手段２４へ送信する構成として説明したが、同期カウントの確認だけであれば、設定データ以外の、所定の指示信号に対し所定の応答信号を通信手段２４が送信する構成としても、本発明の実施は可能である。
【００５５】
【発明の効果】
以上のように本発明によれば、簡易な構成で、安定したデータ通信が可能な通信制御装置及びこれを用いた操作ユニットを得ることができるという有利な効果が得られる。
【図面の簡単な説明】
【図１】本発明の一実施の形態による通信制御装置及びこれを用いた操作ユニットのブロック回路図
【図２】同正常時のデータ波形図
【図３】同異常時のデータ波形図
【図４】従来の通信制御装置及びこれを用いた操作ユニットのブロック回路図
【符号の説明】
６  通信回線
８  電子機器
１０，１２  操作データ
１１，１３，１４，１５  クロック信号
２１  操作手段
２２  表示手段
２３  制御手段
２３Ａ  制御部
２３Ｂ  記憶部
２４  通信手段
２４Ａ  登録部
２４Ｂ  通信部
２５  通信制御装置
２７Ａ  データ送信線
２７Ｂ  データ受信線
２７Ｃ  クロック信号線
２７Ｄ  リセット信号線
【図１】
2004248013.tif 000003
【図２】
2004248013.tif 000004
【図３】
2004248013.tif 000005
【図４】
2004248013.tif 000006